【手続補正書】
【提出日】平成26年10月24日(2014.10.24)
【手続補正１】
【補正対象書類名】特許請求の範囲
【補正対象項目名】請求項３
【補正方法】変更
【補正の内容】
【請求項３】
前記取得手段は、
前記取得要求とともに、さらに、前記情報処理装置の記憶手段にキャッシュデータを保存可能な容量を示す容量情報を、前記キャッシュ管理サーバに送信し、
前記検索手段は、
前記キャッシュ管理サーバの記憶手段に保存されているキャッシュデータから検索した、前記ユーザＩＤに関連付けられたキャッシュデータのうち、前記取得要求とともに受信した容量情報が示す容量の範囲内で、前記情報処理装置に送信すべきキャッシュデータを決定する
ことを特徴とする請求項１又は２に記載の情報処理システム。
【手続補正２】
【補正対象書類名】特許請求の範囲
【補正対象項目名】請求項４
【補正方法】変更
【補正の内容】
【請求項４】
前記第１の送信手段は、
前記キャッシュデータとともに、さらに、前記ユーザのログイン処理が実行された際に前記情報処理装置の記憶手段に保存されている各キャッシュデータが当該記憶手段に保存された時刻を示す保存時刻情報を、前記キャッシュ管理サーバに送信し、
前記第２の保存手段は、
前記第１の送信手段によって送信されたユーザＩＤ、キャッシュデータ及び保存時刻情報を受信すると、当該ユーザＩＤに関連付けて、当該キャッシュデータ及び当該保存時刻情報を前記キャッシュ管理サーバの記憶手段に保存し、
前記検索手段は、
前記キャッシュ管理サーバの記憶手段に保存されているキャッシュデータから検索した、前記ユーザＩＤに関連付けられたキャッシュデータのうち、前記保存時刻情報が示す保存時刻が新しい順に、前記取得要求とともに受信した容量情報が示す容量の範囲内で、前記情報処理装置に送信すべきキャッシュデータを決定する
ことを特徴とする請求項３に記載の情報処理システム。
【手続補正３】
【補正対象書類名】明細書
【補正対象項目名】００１１
【補正方法】変更
【補正の内容】
【００１１】
【図１】第１の実施形態に係る画像処理システムの構成を示す図である。
【図２】第１の実施形態に係る画像処理装置１００のハードウェア構成を示すブロック図である。
【図３】第１の実施形態に係るＷｅｂサーバ１２０及びキャッシュ管理サーバ１２２のハードウェア構成を示すブロック図である。
【図４】第１の実施形態に係る画像処理システムにおけるソフトウェア構成を示すブロック図である。
【図５】第１の実施形態に係る画像処理システムにおいて実行される処理を示すシーケンス図である。
【図６】第２の実施形態に係る画像処理システムにおいて実行される処理を示すシーケンス図である。
【図７】第３の実施形態に係る画像処理システムにおいて実行される処理を示すシーケンス図である。
【図８】第４の実施形態に係るキャッシュリスト８０１の一例を示す図である。
【図９】第４の実施形態に係る画像処理システムにおいて実行される処理を示すシーケンス図である。
【手続補正４】
【補正対象書類名】明細書
【補正対象項目名】００１８
【補正方法】変更
【補正の内容】
【００１８】
操作部インタフェース（Ｉ／Ｆ）２０５は、操作部２０９と制御部２００とを接続するためのインタフェースである。操作部２０９は、タッチパネル機能を有する液晶表示部、キーボード等を備え、表示デバイス及び入力デバイスとして機能する。プリンタＩ／Ｆ２０６は、プリンタ２１０と制御部２００とを接続するためのインタフェースである。プリンタ２１０における印刷に用いる画像データは、プリンタＩ／Ｆ２０６を介して制御部２００からプリンタ２１０に転送される。プリンタ２１０は、制御部２００から転送された画像データに対応する画像を記録媒体上に印刷する。スキャナＩ／Ｆ２０７は、スキャナ２１１と制御部２００とを接続するためのインタフェースである。スキャナ２１１は、原稿上の画像を読み取って、読み取った画像に対応する画像データを生成するとともに、生成した画像データを、スキャナＩ／Ｆ２０７を介して制御部２００に入力する。
【手続補正５】
【補正対象書類名】明細書
【補正対象項目名】００２５
【補正方法】変更
【補正の内容】
【００２５】
（キャッシュ管理サーバ１２２）
キャッシュ管理サーバ１２２は、キャッシュ管理部４２２を含む。キャッシュ管理部４２２は、画像処理装置１００から受信したユーザＩＤとキャッシュデータとを関連付けて、ＲＡＭ３０３又はＨＤＤ３０４に保存して、ユーザごとにキャッシュデータを管理する。また、画像処理装置１００からの要求に応じて、ＲＡＭ３０３又はＨＤＤ３０４に保存されているキャッシュデータを検索して、抽出したキャッシュデータを当該要求に対する応答として、画像処理装置１００に送信する。
【手続補正６】
【補正対象書類名】明細書
【補正対象項目名】００４０
【補正方法】変更
【補正の内容】
【００４０】
画像処理装置１００からユーザＩＤとともにキャッシュデータをＳ１１０で受信すると、キャッシュ管理サーバ１２２は、Ｓ１１１の処理を実行する。Ｓ１１１で、キャッシュ管理部４２２は、Ｓ１１０で受信したユーザＩＤとキャッシュデータとを関連付けて、ＲＡＭ３０３又はＨＤＤ３０４に保存する。Ｓ１１１では、キャッシュ管理部４２２が、第２の保存手段として機能する。
【手続補正７】
【補正対象書類名】明細書
【補正対象項目名】００４７
【補正方法】変更
【補正の内容】
【００４７】
本実施形態によれば、例えば、通常は画像処理装置１００を使用しているユーザが、異なる画像処理装置１０３を使用する場合にも、キャッシュ管理サーバ１２２に保存されているユーザごとのキャッシュデータを、画像処理装置１００の場合と同様に利用できる。即ち、ユーザがログイン可能な何れの画像処理装置においても、同一のキャッシュデータを利用して、利用頻度高い画面について、操作画面の表示及び切り替えを素早く行うことが可能である。このように、Ｗｅｂサーバから提供される画面データに基づく画面を表示可能な画像処理装置１００において、ユーザごとの画面の利用態様に合わせて画面表示のレスポンスを向上させることが可能である。
【手続補正８】
【補正対象書類名】明細書
【補正対象項目名】００４８
【補正方法】変更
【補正の内容】
【００４８】
また、本実施形態では、キャッシュ管理サーバ１２２は、ユーザごとにキャッシュデータを管理する。このため、例えば、特定のユーザ以外の他のユーザが画像処理装置１００を使用したことでキャッシュデータが消去されてしまったとしても、特定のユーザが画像処理装置１００にログインした際に、キャッシュ管理サーバ１２２からキャッシュデータを復元できる。即ち、当該特定のユーザは、前回のログイン時に使用していたキャッシュデータを再び利用して、操作画面の表示及び切り替えを行うことが可能であり、画面表示のレスポンスを高めることが可能である。
【手続補正９】
【補正対象書類名】明細書
【補正対象項目名】００６７
【補正方法】変更
【補正の内容】
【００６７】
画像処理装置１００からユーザＩＤとともにキャッシュデータの取得要求を受信し、かつ、キャッシュ保存容量を通知されると、キャッシュ管理サーバ１２２は、Ｓ１１６の処理を実行する。Ｓ１１６では、第１の実施形態と同様、キャッシュ管理部４２２は、Ｓ３０３でＲＡＭ３０３又はＨＤＤ３０４に保存したキャッシュデータの中から、Ｓ３０５で画像処理装置１００から受信したユーザＩＤに関連付けられたキャッシュデータを検索する。さらに、Ｓ３０６で、キャッシュ管理部４２２は、Ｓ３０５で受信したキャッシュ保存容量に基づいて、画像処理装置１００に送信するキャッシュデータを選択する。